【手続補正書】
【提出日】平成24年9月6日(2012.9.6)
【手続補正１】
【補正対象書類名】特許請求の範囲
【補正対象項目名】全文
【補正方法】変更
【補正の内容】
【特許請求の範囲】
【請求項１】
水の振動的な波動の運動エネルギの水平成分を収集するための長尺状の浮揚装置であって、
前記浮揚装置は、少なくとも一つの連続的な静止構造物（１）と、
前記静止構造物（１）に取り付けられた少なくとも三つの抵抗要素（３、３ａ、３ｂ、３ｃ、６）とを備え、前記抵抗要素（３、３ａ、３ｂ、３ｃ、６）は、前記静止構造物（１）に沿って移動可能であって、使用可能なエネルギを前記静止構造物（１）に伝達し、
前記抵抗要素（３、３ａ、３ｂ、３ｃ、６）の各々は前記静止構造物（１）に沿って、所定の距離内を移動するように制限される浮揚装置。
【請求項２】
前記連続的な静止構造物（１）は長さを有し、前記少なくとも三つの抵抗要素（３、３ａ、３ｂ、３ｃ、６）は、前記抵抗要素（３、３ａ、３ｂ、３ｃ、６）が前記静止構造物（１）の長さ方向に対して平行に移動可能であるように、前記静止構造物（１）に取り付けられる請求項１に記載の浮揚装置。
【請求項３】
前記抵抗要素（３、３ａ、３ｂ、３ｃ、６）は互いに独立して移動可能である請求項２に記載の浮揚装置。
【請求項４】
前記抵抗要素（３、３ａ、３ｂ、３ｃ、６）は前記静止構造物（１）に移動可能に取り付けられ、前記抵抗要素（３、３ａ、３ｂ、３ｃ、６）は、振動的な波に曝される際に、前記静止構造物（１）に対して平行に振動するように移動可能である請求項１乃至３のいずれか一項に記載の浮揚装置。
【請求項５】
前記浮揚装置は、海洋において完全に、又は部分的に水面下にある状態で適用される場合に、前記波に対する前記浮揚装置の位置を保証するために一つ以上の固定点を備える請求項１乃至４のいずれか一項に記載の浮揚装置。
【請求項６】
前記連続的な静止構造物（１）は、一連の連結可能な副要素から構成される請求項１乃至５のいずれか一項に記載の浮揚装置。
【請求項７】
前記連続的な静止構造物（１）は、前記静止構造物（１）の外側と前記抵抗要素（３）上の管状体（５）の内側とによって画定される環状容積を含む請求項１乃至６のいずれか一項に記載の浮揚装置。
【請求項８】
前記浮揚装置は、海洋において完全に、又は部分的に水面下にある状態で適用される場合に、前記静止構造物（１）に対する前記一つ以上の抵抗要素（３、３ａ、３ｂ、３ｃ、６）の移動によって、前記環状容積内および前記静止構造物（１）の内部容積内に加圧水を送り込むように構成される請求項７に記載の浮揚装置。
【請求項９】
前記浮揚装置は、海洋において完全に、又は部分的に水面下にある状態で適用される場合に、前記静止構造物（１）に対する前記抵抗要素（３、３ａ、３ｂ、３ｃ、６）の移動が、閉じたシステム内の液圧流体を加圧するために利用されるように構成される請求項１乃至８のいずれか一項に記載の浮揚装置。
【請求項１０】
前記浮揚装置は、前記抵抗要素（３、３ａ、３ｂ、３ｃ、６）用にリニア発電機を備え、前記リニア発電機の一部は前記静止構造物（１）に取り付けられ、前記リニア発電機の別の部分は前記抵抗要素（３、３ａ、３ｂ、３ｃ、６）に取り付けられ、前記静止構造物（１）に対する前記抵抗要素（３、３ａ、３ｂ、３ｃ、６）の移動によって、電気エネルギが生成される請求項１乃至９のいずれか一項に記載の浮揚装置。
【請求項１１】
前記抵抗要素（３、３ａ、３ｂ、３ｃ、６）のうちの一つ以上、又は前記静止構造物（１）は、磁束の変化を電気エネルギに変換可能な機器を備える請求項１乃至１０のいずれか一項に記載の浮揚装置。
【請求項１２】
前記抵抗要素（３、３ａ、３ｂ、３ｃ、６）のうちの一つ以上、又は前記静止構造物（１）は磁石を備える請求項１１に記載の浮揚装置。
【請求項１３】
前記静止構造物（１）は、前記静止構造物（１）の長手軸線に対して平行に前記抵抗要素（３、３ａ、３ｂ、３ｃ、６）が自由に移動することを制限する複数の障害物（２）を備える請求項１乃至１２のいずれか一項に記載の浮揚装置。
【請求項１４】
前記抵抗要素（３、３ａ、３ｂ、３ｃ、６）は、前記障害物（２）と協働して、前記抵抗要素（３、３ａ、３ｂ、３ｃ、６）が移動することが可能な長さを制限する端部ストッパ（４ａ、４ｂ）を備える請求項１３に記載の浮揚装置。
【請求項１５】
水の振動的な波動の運動エネルギの水平成分を収集するための方法であって、
請求項１に記載の浮揚装置を設ける工程と、
前記波の伝播方向に対して主に平行に前記静止構造物（１）を浮揚させて配置するように海洋に前記浮揚装置を配置する工程とを備える方法。
【請求項１６】
前記抵抗要素（３、３ａ、３ｂ、３ｃ、６）のうち最も離間した二つの間の最短距離は、前記浮揚装置が配置される水域における平均波長の半分より長く、前記抵抗要素（３、３ａ、３ｂ、３ｃ、６）の各々は、該抵抗要素（３、３ａ、３ｂ、３ｃ、６）の相対的な振動の位相が互いにずれるように、前記静止構造物（１）に対して平行に振動させられる請求項１５に記載の方法。
【請求項１７】
前記波に対する前記浮揚装置の位置は、一つ以上の固定点によって保証される請求項１５又は１６に記載の方法。
【請求項１８】
前記静止構造物（１）に対する前記抵抗要素（３、３ａ、３ｂ、３ｃ、６）の移動により、使用可能なエネルギを抽出可能な液圧が発生する請求項１５乃至１７のいずれか一項に記載の方法。
【請求項１９】
前記静止構造物（１）に対する前記抵抗要素（３、３ａ、３ｂ、３ｃ、６）の移動は、閉じたシステム内で液圧流体を加圧するために用いられる請求項１８に記載の方法。
【請求項２０】
前記方法は、波動の水平成分のみを利用する工程を備え、前記抵抗要素（３、３ａ、３ｂ、３ｃ、６）は、エネルギが抽出される波動の水平成分によって作用される時に、互いに独立して、前記静止構造物（１）の長さ方向に沿って移動する請求項１５乃至１９のいずれか一項に記載の方法。
【請求項２１】
前記浮揚装置は完全に、又は部分的に水面下で作動する請求項１５乃至２０のいずれか一項に記載の方法。
【手続補正２】
【補正対象書類名】明細書
【補正対象項目名】発明の名称
【補正方法】変更
【補正の内容】
【発明の名称】海洋波力エネルギを収集する浮揚装置及び方法
【手続補正３】
【補正対象書類名】明細書
【補正対象項目名】００３８
【補正方法】変更
【補正の内容】
【００３８】
当業者にとって、上述の設計法は、例示的であって、本発明の権利範囲を限定するものでないことは明らかである。従って、本発明の権利範囲は、特許請求の範囲に記載されるような本発明の精神によって網羅される全ての想像可能な修正形態および等価物からなるものである。
さらに、前述の実施形態および変形例より把握できる技術的思想について以下に記載する。
（付記１）
水の振動的な波動の運動エネルギの水平成分を収集するための長尺状の浮揚装置であって、
少なくとも一つの連続的な静止構造物であって、前記波の伝播方向に対して主に平行に配置された前記静止構造物と、
前記静止構造物上に取り付けられた少なくとも三つの抵抗要素であって、前記静止構造物に対して平行に移動可能であり、かつ使用可能なエネルギを前記静止構造物に伝達する前記抵抗要素とを備える浮揚装置において、
前記抵抗要素の各々は前記静止構造物に沿って、所定の距離内を移動するように制限され、前記二つの最も離間した抵抗要素の間の最短距離は前記装置が配置される水域における平均波長の半分より長いことを特徴とする浮揚装置。
（付記２）
前記波に対する前記装置の位置は一つ以上の固定点によって保証されることを特徴とする付記１に記載の水の振動的な波動の運動エネルギの水平成分を収集するための長尺状の浮揚装置。
（付記３）
前記連続的な静止構造物は、一連の連結可能な副要素から構成されることを特徴とする付記１に記載の水の振動的な波動の運動エネルギの水平成分を収集するための長尺状の浮揚装置。
（付記４）
前記連続的な静止構造物は円筒容積を含むことを特徴とする付記１に記載の水の振動的な波動の運動エネルギの水平成分を収集するための長尺状の浮揚装置。
（付記５）
前記静止構造物に対する前記一つ以上の抵抗要素の移動によって、前記円筒容積内に加圧水が送り込まれることを特徴とする付記４に記載の水の振動的な波動の運動エネルギの水平成分を収集するための長尺状の浮揚装置。
（付記６）
前記静止構造物に対する前記抵抗要素の移動は閉じたシステム内の液圧流体を加圧するために利用されることを特徴とする付記１に記載の水の振動的な波動の運動エネルギの水平成分を収集するための長尺状の浮揚装置。
（付記７）
一つ以上の要素、又は前記静止構造物は、磁束の変化を電気エネルギに変換可能な機器を備えることを特徴とする付記１に記載の水の振動的な波動の運動エネルギの水平成分を収集するための長尺状の浮揚装置。
（付記８）
一つ以上の抵抗要素、又は前記静止構造物は磁石を備えることを特徴とする付記１に記載の水の振動的な波動の運動エネルギの水平成分を収集するための長尺状の浮揚装置。